(57)【要約】【課題】  装飾性に優れ且つ合理的に構成された指標部を得ること。【解決手段】  文字板１００に設けられる指標部３００において、指標部は、文字板に固定される第１部材３１０と、第１部材に保持される第２部材３２０とを組み付けてなり、第１部材には、互いに向かい合う凹状の係止部３１１を設けるとともに、第２部材の両端部には、係止部にそれぞれ係止される凸状の第１フック部３２１及び凸状の第２フック部３２２を設け、第２フック部の寸法は、第１フック部よりも小さく設定し、第２部材は、第１フック部を一方の係止部に入れた後に、第２フック部を他方の係止部に圧入することにより、第１部材に保持するようにした。【選択図】図２
2007178262.tif 000002
【特許請求の範囲】
【請求項１】
文字板に設けられる指標部において、
前記指標部は、前記文字板に固定される第１部材と、前記第１部材に保持される第２部材とを組み付けてなり、
前記第１部材には、互いに向かい合う凹状の係止部を設けるとともに、前記第２部材の両端部には、前記係止部にそれぞれ係止される凸状の第１フック部及び凸状の第２フック部を設け、
前記第２フック部の寸法は、前記第１フック部よりも小さく設定し、
前記第２部材は、前記第１フック部を一方の前記係止部に入れた後に、前記第２フック部を他方の前記係止部に圧入することにより、前記第１部材に保持するようにしたことを特徴とする指標部。
【請求項２】
前記第１部材には、前記文字板側に突出するボスと、雄ねじ部品を螺合する雌ねじ部とを設け、
前記文字板には、前記ボスを嵌装する嵌装部と、前記雄ねじ部品を挿通する通孔とを設け、
前記第１部材は、前記ボスを前記嵌装部に嵌装するとともに、前記通孔に挿通した前記雄ねじ部品を前記雌ねじ部に螺合することにより、前記文字板に固定するようにしたことを特徴とする請求項１記載の指標部。
【請求項３】
前記第１部材は、少なくとも前記第２部材と対向する面に金属光沢を有する部材とし、前記第２部材は、透明又は半透明の部材としたことを特徴とする請求項１又は２記載の指標部。
【請求項４】
前記第２部材は、透明又は半透明の部材であるとともに、前記第１部材と対向する面に有色部を設けてなることを特徴とする請求項１乃至３のいずれか記載の指標部。
【発明の詳細な説明】
【技術分野】
【０００１】
本発明は、文字板に設けられる指標部に関する。
【背景技術】
【０００２】
時計の文字板に設けられる指標部は、装飾的に優れたものが望ましい。例えば、特許文献１乃至５には、立体的に構成された指標部の構成が開示されている。
【特許文献１】特開平７−１２８４５８号公報
【特許文献２】特開２０００−１５８８９７号公報
【特許文献３】特開２００１−４２０５５号公報
【特許文献４】特開２００３−２４７０９６号公報
【特許文献５】特開２００５−４９２７７号公報
【発明の開示】
【発明が解決しようとする課題】
【０００３】
さて近年、時計のデザインはますます多様化される傾向にあり、文字板の指標部についても、装飾性、製造性、組立て性、汎用性などを踏まえつつ更なる構造的工夫が求められている。本発明は、かかる事情に鑑みてなされたものであり、その目的は、装飾性に優れ且つ合理的に構成された指標部を得ることである。
【課題を解決するための手段】
【０００４】
本願第１請求項に記載した発明は、文字板に設けられる指標部において、前記指標部は、前記文字板に固定される第１部材と、前記第１部材に保持される第２部材とを組み付けてなり、前記第１部材には、互いに向かい合う凹状の係止部を設けるとともに、前記第２部材の両端部には、前記係止部にそれぞれ係止される凸状の第１フック部及び凸状の第２フック部を設け、前記第２フック部の寸法は、前記第１フック部よりも小さく設定し、前記第２部材は、前記第１フック部を一方の前記係止部に入れた後に、前記第２フック部を他方の前記係止部に圧入することにより、前記第１部材に保持するようにした構成の指標部である。
【０００５】
本願第２請求項に記載した発明は、請求項１において、前記第１部材には、前記文字板側に突出するボスと、雄ねじ部品を螺合する雌ねじ部とを設け、前記文字板には、前記ボスを嵌装する嵌装部と、前記雄ねじ部品を挿通する通孔とを設け、前記第１部材は、前記ボスを前記嵌装部に嵌装するとともに、前記通孔に挿通した前記雄ねじ部品を前記雌ねじ部に螺合することにより、前記文字板に固定するようにした構成の指標部である。
【０００６】
本願第３請求項に記載した発明は、請求項１又は２において、前記第１部材は、少なくとも前記第２部材と対向する面に金属光沢を有する部材とし、前記第２部材は、透明又は半透明の部材とした構成の指標部である。
【０００７】
本願第４請求項に記載した発明は、請求項１乃至３のいずれかにおいて、前記第２部材は、透明又は半透明の部材であるとともに、前記第１部材と対向する面に有色部を設けてなる構成の指標部である。
【発明の効果】
【０００８】
本発明によれば、装飾性に優れ且つ合理的に構成された指標部を得ることができる。
【発明を実施するための最良の形態】
【０００９】
以下に、本発明の実施例を図面に基づいて説明する。図１に示す時計１は、文字板１００の正面側において指針２００を駆動するように構成されたアナログ時計である。文字板１００及び指針２００は、透明板１１０に覆われている。文字板には、時刻を表示する指標部３００が所定の間隔で設けられている。この指標部３００は、文字板１００に部材を装着してなる立体的なものであり、指針２００の回転軸を中心に放射状に配置された細長いものである。
【００１０】
図２乃至図７に示すように、本例の指標部３００は、文字板１００に固定される第１部材３１０と、第１部材３１０に保持される第２部材３２０とを組み付けてなるものである。
【００１１】
先ず、第１部材３１０と第２部材３２０との組み付けについて説明する。第１部材３１０には、互いに向かい合う凹状の係止部３１１を設けるとともに、第２部材３２０の長手方向の両端部には、係止部３１１にそれぞれ係止される凸状の第１フック部３２１及び凸状の第２フック部３２２を設けている。第１部材３１０の係止部３１１は、双方ともに同様の形状となっている。一方、第２部材３２０の第１フック部３２１及び第２フック部３２２は、それぞれ異なる形状となっている。第２部材３２０の長手方向に対する第２フック部３２２の寸法、つまり第２フック部３２２の高さは、第１フック部３２１よりも小さく設定している。第２フック部３２２と係止部３１１との接触面は、第１フック部３２１と係止部３１１との接触面よりも小さい。
【００１２】
第２部材３２０は、第１フック部３２１を一方の係止部３１１に入れた後に、第２フック部３２２を他方の係止部３１１に圧入することにより、第１部材３１０に保持する構成となっている（図６参照）。
【００１３】
一旦組み付けた第１部材３１０と第２部材３２０とを分離する場合は、第１部材３１０の両端を支えつつ第２部材３２０を押出すように第１部材３１０の中央を圧迫する（図７参照）。すると、第１部材３１０が微妙に撓むことにより、第２フック部３２２が係止部３１１から外脱し、第２部材３２０が両係止部３１１の間から抜け落ちる構成となっている。
【００１４】
尚、第２フック部３２２には、所定の向きにテーパーが設けられている（図５（ｉ）参照）。すなわち、係止部３１１に対する圧入を容易化するためのテーパーと、係止部３１１からの外脱を容易化するためのテーパーが設けられている。
【００１５】
次に、文字板１００に対する第１部材３１０の固定構造を説明する。第１部材３１０には、文字板１００側に突出するボス３１２と、雄ねじ部品３０１を螺合する雌ねじ部３１３とを設けている。また、文字板１００には、ボス３１２を嵌装する嵌装部１０１と、雄ねじ部品３０１を挿通する通孔１０２とを設けている。そして、第１部材３１０は、ボス３１２を嵌装部１０１に嵌装するとともに、通孔１０２に挿通した雄ねじ部品３０１を雌ねじ部３１３に螺合することにより、文字板１００に固定する。
【００１６】
次に、指標部３００の装飾的工夫について説明する、第１部材３１０は、射出成形された樹脂製の部材の表面に塗装、メッキ、又は蒸着により、その表面全体に金属光沢をもたせてなるものである。尚、係止部３１１は、射出成形における肉抜き部を利用して構成されている。
【００１７】
また、本例の第２部材３２０は、半円柱形を呈する透明又は半透明の樹脂製の部材である。第１部材３１０と組み付けると、半円柱形の曲面が外部に露呈された状態となる。第１部材３１０は、第２部材３２０と対向する面に金属光沢を有するので、第１部材３１０と第２部材３２０とを組み付けた状態においては、第１部材３１０の表面が鏡面として作用する。その結果、第２部材３２０は、光りの反射加減により、実際の形状よりも奥行きのある外観が得られるものとなっている。更に、第１部材３１０と対向する面には、印刷等による有色部を設けてもよい。このような構成によると、透明又は半透明の部分を通して有色部が見えることとなり、美観を向上するという点で非常に効果的である。尚、第２部材３２０に設けた有色部の上に更に銀蒸着を施せば、第１部材３１０の表面に金属光沢をもたせずとも、奥行きのある外観を得ることが可能である。色彩・色調が異なる複数の第２部材３２０を用意し、時計のデザイン等に応じてそれらを選択的に使用すれば、指標部の汎用性を向上することができる。
【００１８】
以上説明したように、本例の指標部は、装飾性、製造性、組立て性、及び汎用性に優れたものであり、各種時計の文字板に利用することが可能である。尚、本例における各部の構成は、特許請求の範囲に記載した技術的範囲において適宜に設計変更が可能であり、図例説明したものに限定されないことは勿論である。
【産業上の利用可能性】
【００１９】
本発明の文字板の指標部は、時計の時刻を表示するものとして好適に利用することが可能である。
【図面の簡単な説明】
【００２０】
【図１】本発明の実施例に係り、時計の正面図である。
【図２】本発明の実施例に係り、図１のＸ−Ｘ断面図であり、文字板の要部を示す側面断面図である。
【図３】本発明の実施例に係り、文字板の要部を示す側面断面分解図である。
【図４】本発明の実施例に係り、第１部材の説明図であり、（ａ）は第１部材の正面図、（ｂ）は上面図、（ｃ）は（ａ）のＡ−Ａ断面図、（ｄ）は（ａ）のＢ−Ｂ断面図、（ｅ）は側面図、（ｆ）は背面図である。
【図５】本発明の実施例に係り、（ａ）は第２部材の正面図、（ｂ）は上面図、（ｃ）は下面図、（ｄ）は（ａ）のＡ−Ａ断面図、（ｅ）は（ａ）のＢ−Ｂ断面図、（ｆ）は側面図、（ｇ）は背面図、（ｈ）は（ｅ）のＣ部拡大図、（ｉ）は（ｅ）のＤ部拡大図である。
【図６】本発明の実施例に係り、指標部の組立て方法を示す説明図である。
【図７】本発明の実施例に係り、指標部の分解方法を示す説明図である。
【符号の説明】
【００２１】
１    時計
１００    文字板
１０１    嵌装部
１０２    通孔
１１０    透明板
２００    指針
３００    指標部
３０１    雄ねじ部品
３１０    第１部材
３１１    係止部
３１２    ボス
３１３    雌ねじ部
３２０    第２部材
３２１    第１フック部
３２２    第２フック部
【図１】
2007178262.tif 000003
【図２】
2007178262.tif 000004
【図３】
2007178262.tif 000005
【図４】
2007178262.tif 000006
【図５】
2007178262.tif 000007
【図６】
2007178262.tif 000008
【図７】
2007178262.tif 000009